(57)【要約】      （修正有）【課題】男性局部の締付け感や圧迫感、汗蒸れ等が大幅に改善され、穿き心地のよいパンツを提供する。【解決手段】布地によって腰部を覆う部分Ｂ、臀部を覆う部分Ｅ、大腿部を覆う部分Ｄ及び男性局部を覆う部分Ａから袋状に構成する。男性局部を覆う部分Ａは二枚の局部用布地３、４によって構成する。局部用布地３、４は男性局部を覆う部分Ａの中央より下方において双方の対向する側の縁端部３ａ、４ａが対角線状にクロスする状態に取り付け、かつクロスする部分ハから上方を互いに重ねる。局部用布地３、４のクロスする部分ハより下方に男性局部が突出する開口部２を設ける。局部用布地３、４の外側に男性局部が収納される収納部５を設ける。収納部５の内側に、男性局部の当たる側に撥水加工、その反対側に吸水加工がそれぞれ施された蒸れ防止用布地６を取り付ける。【選択図】図１
0003223205.tif 000002
【実用新案登録請求の範囲】
【請求項１】
布地によって腰部を覆う部分、臀部を覆う部分、大腿部を覆う部分および男性局部を覆う部分から袋状に構成され、前記男性局部を覆う部分は複数の局部用布地によって構成され、前記局部用布地は前記男性局部を覆う部分の中央より下方において双方の対向する側の縁端部が対角線状にクロスする状態に取り付けられていると共に、前記双方の縁端部が対角線状にクロスする部分から上方にかけて互いに重ねられ、かつ前記双方の縁端部が対角線状にクロスする部分より下方に、男性局部が突出する開口部が設けられてなるパンツにおいて、前記局部用布地の外側に前記男性局部が収納される収納部が設けられ、かつ前記収納部の内側に、前記男性局部の当たる側に撥水加工、その反対側に吸水加工がそれぞれ施された蒸れ防止用布地が取り付けられていることを特徴とするパンツ。
【請求項２】
請求項１記載のパンツにおいて、前記蒸れ星用布地は綿または合成樹脂の布地によって形成され、前記布地の前記男性局部の当たる側に撥水加工、その反対側に吸水加工がそれぞれ施されていることを特徴とするパンツ。
【請求項３】
請求項１または２記載のパンツにおいて、前記蒸れ防止用布地は脱着可能に取り付けられていることを特徴とするパンツ。
【請求項４】
請求項１〜３のいずれかひとつに記載のパンツにおいて、前記収納部の両側に小水用の開口部が設けられていることを特徴とするパンツ。
【考案の詳細な説明】
【技術分野】
【０００１】
本考案は男性用下着であるパンツに関し、特に男性局部の締付け感や圧迫感、汗蒸れ等を大幅に改善して、穿き心地を著しく高めたものである。
【背景技術】
【０００２】
一般に、男性用下着であるパンツは、綿や合成繊維などの布地によって腰部、臀部、大腿部および前面の男性局部を覆う部分などから単純な袋状に構成されている。
【０００３】
ところで、この種のパンツで問題となるのは、長時間座ったままの姿勢で運転などの作業に従事すると、パンツの布地が男性局部(睾丸と陰茎)を押圧して、強い締付け感や圧迫感を与えることであった。
【０００４】
また、男性局部を下方より支えるものがなく、特に高齢者のように加齢によって睾丸が垂下すると、ソファ等に座ったときに睾丸を臀部の下に挟み込み、睾丸を痛めることがあった。
【０００５】
さらに、男性局部が大腿部に密着した状態で長時間一体に覆われたままだと、陰金などの皮膚病に感染した場合に皮膚病が感染拡大して治癒しにくくなることがあった。
【０００６】
そこで、出願人は、図４(a),(b)に図示するような、パンツ10の男性局部を覆う部分Ａに男性局部を覆う部分Ａの外側に男性局部を突出させるための開口部11を設け、かつ男性局部を覆う部分Ａの外側に開口部11より突出させた男性局部を収納するポケット状の収納部12を取り付けた男性用パンツを開発した(特許文献１参照)。
【０００７】
このパンツを穿くと、男性局部がポケット状の収納部12に収納されて大腿部に直接触れることがないので、強い締付け感や圧迫感、さらには汗蒸れ等が緩和され、また、男性局部が袋状の収納部12によって下方より支えられるため、ソファ等に座ったときに睾丸を臀部の下に巻き込んで、睾丸を痛めるようなこともなく、特に高齢者に好評を得ていた。
【先行技術文献】
【特許文献】
【０００８】
【特許文献１】実公平3-15521号公報
【特許文献２】特開2016-204768号公報
【特許文献２】特開2008-063700号公報
【考案の概要】
【考案が解決しようとする課題】
【０００９】
しかし、スポーツ選手などのような激しく体を動かす者や建設労働者などのような力仕事に従事する者、さらには鍛冶工などのような高温下での作業に従事する者は、いつも大量の汗をかき、特に男性局部がいつも汗蒸れにさらされているため、図４(a),(b)に図示するようなパンツでは必ずしも満足できるものではなかった。
【００１０】
本考案は、特に図４(a),(b)に図示するパンツを改良発展させたものであり、スポーツ選手や建設労働者などのような大量に汗をかく者も快適に着用できるようにしたパンツを提供することを目的とするものである。
【課題を解決するための手段】
【００１１】
本考案は、布地によって腰部を覆う部分、臀部を覆う部分、大腿部を覆う部分および男性局部を覆う部分から袋状に構成され、前記男性局部を覆う部分が二枚の局部用布地によって構成され、前記局部用布地が前記男性局部を覆う部分の中央より下方において双方の対向する側の縁端部が対角線状にクロスする状態に取り付けられていると共に、前記双方の縁端部が対角線状にクロスする部分から上方にかけて互いに重ねられ、かつ前記双方の縁端部が対角線状にクロスする部分より下方に前記男性局部が突出する開口部が設けられてなる男性用下着パンツの考案であり、特に前記局部用布地の外側に前記男性局部が収納される収納部が設けられ、かつ前記収納部の内側に、前記男性局部の当たる側に撥水加工、その反対側に吸水加工がそれぞれ施された蒸れ防止用布地が取り付けられていることを特徴とするものである。
【００１２】
前記蒸れ防止用布地は、例えば、綿などの吸水性を有する布地の内側、すなわち男性局部のあたる部分に撥水加工を施すことにより形成することができる。
【００１３】
また、前記蒸れ防止用布地は、前記収納部の内側に縫合によって取り付けられてもよいが、起毛式テープ等によって脱着可能に取り付けてあれば、洗濯などが簡単かつ確実に行うことができる。
【００１４】
また、前記収納部の左右両側に小水用の開口部が設けられていることで、利き手が左右いずれの手であっても、小水の際に不便を強いられることはない。
【００１５】
さらに、本考案はトランクスタイプのパンツに限らず、ブリーフタイプ等のパンツにも適用可能なことはいうまでもない。
【考案の効果】
【００１６】
本考案によれば、以下に記載するような効果を得ることができる。
(1)パンツを穿いたとき、男性局部は開口部から出して膨出可能なポケット状の収納部に収納することで、締付け感や圧迫感を与えることはない。
(2)また、収納部の内側に蒸れ防止用の布地が取り付けられていることで、男性局部に大量の汗をかいたとしても吸水性を有する部分に吸水され、また撥水作用によって汗をはじくため、いつもサラサラした快適な感じを与え、肌へのべた付き感を防いでくれるため、穿き心地がきわめてよい。
【００１７】
(3)男性局部の陰茎は、開口部の下端によって支えられると共に、睾丸はポケットの収納部によって持ち上げるように保持されるため、男性局部が垂れ下がることがなくなり、このため、ソファー等に座ったときに睾丸を臀部の下に挟み込んで痛めることはなく、特に、自転車、バイク、自動車等に乗車中は、振動によって睾丸の垂れ下がりが促されるが、このような場合でも、睾丸の垂れ下がりを防ぎ、痛めることを防止することができる。
【００１８】
(4)男性局部は、ポケット状の収納部に収納され、特に睾丸はポケット状の収納部に包まれるため、運動などで激しく動いても、睾丸が開口部から内側に移動しにくく、大腿部や臀部との接触を防止できるため、皮膚病に疾患していても感染を拡大させることはない。
(5)収納部の左右縁端部に小水用の開口部が設けられているため、利き手が左右いずれの手であっても、小水時に不便をきたすことはない。
【図面の簡単な説明】
【００１９】
【図１】本考案の一実施形態であって、男性用下着であるトランクスタイプのパンツの外観を示す一部破断斜視図である。
【図２】図１に図示するパンツの前面部を内側から見た図であって、図３におけるイ−イ線断面図である。
【図３】図２おけるロ−ロ線断面図である。
【図４】従来のブリーフタイプの男性用下着のパンツを図示したものであり、(a)は一部破断正面図、(b)は図4(a)におけるニ−ニ線断面図である。
【考案を実施するための形態】
【００２０】
図１−図３は、本考案の一実施形態であって、男性用下着であるパンツの特にトランクスタイプのパンツを図示したものである。
【００２１】
図においてパンツ１は、合成繊維や綿などの布地によって腰部、臀部、大腿部および男性局部をそれぞれ覆う部分から袋状に構成され、特に男性局部を覆う部分Ａは２枚の局部用布地３と局部用布地４とによって構成されている。
【００２２】
男性局部を覆う部分Ａには、男性局部を覆う部分Ａの外側に男性局部(睾丸と陰茎)を突出させるための開口部２が設けられ、また、男性局部を覆う部分Ａの外側に、男性局部を覆う部分Ａの外側に突出させた男性局部を収納するための収納部５がポケット状に設けられ、さらに収納部５の内側に蒸れ防止用布地６が取り付けられている。
【００２３】
局部用布地３と局部用布地４は、男性局部を覆う部分Ａの中央よりやや下方において双方の対向する側の縁端部3aと縁端部4aが対角線状(Ｘ形状)にクロスする状態に取り付けられている。
【００２４】
また、局部用布地３と局部用布地４は、双方の縁端部3aと縁端部4aが対角線状にクロスする部分ハから上方にかけて互いに重ねられ、かつクロス部分ハより下方は重ねられないで若干の幅だけ互いに離間する状態に取り付けられている(図１,２参照)。
【００２５】
さらに、局部用布地３の上縁端部3bと下縁端部3c、および局部用布地４の上縁端部4bと下縁端部4cは、それぞれパンツ１の腰部を覆う部分(腰ゴム部分)Ｂの縁端部と股下部を覆う部分Ｃの縁端部にそれぞれ縫合され、また、局部部用布地３および４の反対側の縁端部3dと4dはそれぞれ大腿部を覆う部分Ｄの縁端部に縫合されている。
【００２６】
これにより男性局部を覆う部分Ａの周縁部、すなわち局部用布地３の上下縁端部3b,3cおよび反対側縁の端部3dと、局部用布地４の上下遠端部4b,4cおよび反対側の縁端部4dはそれぞれ連続して縫合されている。
【００２７】
また、男性局部を覆う部分Ａの下方部分に下辺を底辺とするほぼ三角形状の開口部２が形成されている。開口部２は局部用布地３と局部用布地４の重なる部分を内側から外側に押す広げることにより外側に大きく開くようになっており、これにより子供から成人男子まで男性局部を開口部２から難なく突出させて収納部５内に収納できるようになっている。
【００２８】
収納部５は、上辺を底辺とするほぼ逆台形状の収納部用布地５Aによって形成され、当該収納部用布地５Aは男性局部を覆う部分Ａ、すなわち局部用布地３および局部用布地４の外側に局部用布地３および４を完全に覆うように取り付けられている。
【００２９】
また、収納部用布地５Aの上縁端部5aと下縁端部5bは、それぞれ腰部を覆う部分Ｂの縁端部と臀部を覆う部分Ｅの縁端部に縫合され、また、左右の側縁端部5c,5cは、中間部分の一定範囲を除いて大腿部を覆う部分Ｄの縁端部に縫合されている。
【００３０】
これにより、収納部用布地５Aは左右縁端部5c,5cの一定範囲を除いて全周が袋状に縫合され、縦長のポケット状に縫合されている。また、左右縁端部5c,5cの中間部分に小水用の開口部７が縦長のスリット状に形成されている。
【００３１】
さらに、収納部用布地５Aの内側、すなわち収納部５内は、開口部２の開口幅より充分に広い幅に形成され、また、上下左右に多少のゆとりを持たせて前方へ袋状に膨出可能、すなわちゆとりを持って膨らむことが可能なように形成されている。また、収納部５の底部は開口部２の下端部より低い位置に設けられ、男性局部を下方より保持するようになっている。
【００３２】
蒸れ防止用布地６は、収納部用布地５A、すなわち収納部５の内側に取り付けられ、少なくともその上下縁端部6aと6bが腰部を覆う部分Ｂの縁端部と臀部を覆う部分Ｅの縁端部にそれぞれ縫合されている。
【００３３】
また、蒸れ防止用布地６は、綿などの吸水性を有する布地の内側、すなわち男性局部のあたる部分に撥水加工を施すことにより形成されている。
【００３４】
収納部５の内側に蒸れ防止用布地６が取り付けられていることで、男性局部に大量の汗をかいたとしても、蒸れ防止用布地６の吸水性を有する部分に吸水され、また、蒸れ防止用布地６の撥水作用によって汗をはじくため、肌へのべた付き感が無く、いつもサラサラした快適な感じを与える。
【００３５】
なお、蒸れ防止用布地６の一例としては、凹凸生地の凸部先端のみに撥水加工が施され、ベースの生地に吸水加工が施された布地、例えば、東洋染工株式会社のアクアホール(「アクアホール」は東洋染工株式会社の登録商標である。)等の布地が適している。
【００３６】
また、蒸れ防止用布地６は起毛式テープ等によって収納部５の内側に脱着可能に取り付けられてもよい。
【００３７】
次に、本考案のパンツ１を穿いたときの穿き心地について説明すると、パンツ１を穿くと同時に、男性局部を開口部２から局部用布地３および局部用布地４の外側に突出させてポケット状の収納部５内に収納することで、男性局部は両側の大腿部に直接挟まれることがないので、締付け感や圧迫感を感ずることはない。
【００３８】
また、男性局部の陰茎は開口部２の下端によって支えられると共に、睾丸は収納部５によって下から保持されるため、男性局部が垂れ下がるようなことはなく、このためソファ等に座ったときに睾丸を臀部の下に挟んで痛める等ということはない。
【００３９】
また、男性局部は収納部５内に収納され、特に睾丸は収納部５に包まれ、大腿部等に直接触れるようなことはないため、たとえ皮膚病に感染していても皮膚病が他の個所に拡大感染するのを防止することができ、皮膚病の早期治癒が可能になる。
【００４０】
また、収納部５の内側に蒸れ防止用布地６が取り付けられていることで、男性局部に大量の汗をかいたとしても、蒸れ防止用布地６の吸水性を有する部分に吸水され、また蒸れ防止用布地６の男性局部のあたる部分は撥水作用によって汗をはじくため、いつもサラサラした快適な感じを与えるため、肌へのべた付き感を防いでくれる。
【産業上の利用可能性】
【００４１】
本考案は、特に男性局部の締付け感や圧迫感、汗蒸れ等が大幅に改善され、きわめて穿き心地のよいパンツを提供することができる。
【符号の説明】
【００４２】
Ａ  男性局部を覆う部分
Ｂ  腰部を覆う部分
Ｃ  股下部を覆う部分
Ｄ  大腿部を覆う部分
Ｅ  臀部を覆う部分
ニ  双方の縁端部がクロスする部分
１パンツ
２  開口部
３  局部用布地
3a  縁端部
3b  上縁端部
3c  下縁端部
3d  側縁端部
４  局部用布地
4a  縁端部
4b  上縁端部
4c  下縁端部
4d  側縁端部
５  収納部
5A  収納部用布地
5a  上縁端部
5b  下縁端部
６  蒸れ防止用布地
6a  上縁端部
6b  下縁端部
【図１】
0003223205.tif 000003
【図２】
0003223205.tif 000004
【図３】
0003223205.tif 000005
【図４】
0003223205.tif 000006
【手続補正書】
【提出日】令和1年7月29日(2019.7.29)
【手続補正１】
【補正対象書類名】実用新案登録請求の範囲
【補正対象項目名】全文
【補正方法】変更
【補正の内容】
【実用新案登録請求の範囲】
【請求項１】
布地によって腰部を覆う部分、臀部を覆う部分、大腿部を覆う部分および男性局部を覆う部分から袋状に構成され、前記男性局部を覆う部分は複数の局部用布地によって構成され、前記局部用布地は前記男性局部を覆う部分の中央より下方において双方の対向する側の縁端部が対角線状にクロスする状態に取り付けられていると共に、前記双方の縁端部が対角線状にクロスする部分から上方にかけて互いに重ねられ、かつ前記双方の縁端部が対角線状にクロスする部分より下方に、男性局部が突出する開口部が設けられてなるパンツにおいて、前記局部用布地の外側に前記男性局部が収納される収納部が設けられ、かつ前
記収納部の内側に、前記男性局部の当たる側に撥水加工、その反対側に吸水加工がそれぞれ施された蒸れ防止用布地が取り付けられていることを特徴とするパンツ。
【請求項２】
請求項１記載のパンツにおいて、前記蒸れ防止用布地は綿または合成樹脂の布地によって形成され、前記布地の前記男性局部の当たる側に撥水加工、その反対側に吸水加工がそれぞれ施されていることを特徴とするパンツ。
【請求項３】
請求項１または２記載のパンツにおいて、前記蒸れ防止用布地は脱着可能に取り付けられていることを特徴とするパンツ。
【請求項４】
請求項１〜３のいずれかひとつに記載のパンツにおいて、前記収納部の両側に小水用の開口部が設けられていることを特徴とするパンツ。